(57)【要約】【課題】  視聴コンテンツを再生する再生部の機能に依存せずに、視聴率の調査に用いられる視聴履歴情報を生成することが可能な端末装置及び制御方法を提供する。【解決手段】  表示部と、視聴コンテンツを表示部に再生する再生部とを備え、再生部は、視聴コンテンツを再生する際、ウィンドウ領域内に視聴コンテンツを再生する端末装置であって、ウィンドウ領域内の一部を少なくとも含む所定領域に表示される画像情報を、所定周期毎に取得する画像取得部と、複数の画像情報のそれぞれを比較し、視聴コンテンツが再生されたか否かを判定する再生判定部と、付加情報、又は、画像情報に基づいて、視聴コンテンツを識別する動画識別部と、再生判定部による判定結果と、動画識別部による識別結果とに基づいて、視聴履歴情報を生成する視聴履歴情報生成部とを備える。【選択図】図２
2012235420.tif 000002
【特許請求の範囲】
【請求項１】
画像を表示する表示部と、視聴コンテンツを前記表示部に再生する再生部とを備え、前記再生部は、前記視聴コンテンツを再生する際、前記表示部にウィンドウ領域を起動するとともに、前記ウィンドウ領域内に前記視聴コンテンツを再生する端末装置であって、
前記表示部において、前記ウィンドウ領域内の一部を少なくとも含む所定領域に表示される画像情報を、所定周期毎に取得する画像取得部と、
前記画像取得部によって取得された複数の画像情報のそれぞれを比較し、前記視聴コンテンツが再生されたか否かを判定する再生判定部と、
前記視聴コンテンツの内容に関連する付加情報、又は、前記画像情報に基づいて、前記視聴コンテンツを識別する動画識別部と、
前記再生判定部による判定結果と、前記動画識別部による識別結果とに基づいて、前記視聴コンテンツが再生されたことを示す再生情報と、前記視聴コンテンツを識別する識別情報とを含む視聴履歴情報を生成する視聴履歴情報生成部と
を備えることを特徴とする端末装置。
【請求項２】
前記ウィンドウ領域内には、前記視聴コンテンツを再生する再生領域と、前記視聴コンテンツの再生状況を表示する状況表示領域とが含まれており、
前記画像取得部は、前記再生領域と前記状況表示領域とを前記所定領域として、前記画像情報を取得する
ことを特徴とする請求項１に記載の端末装置。
【請求項３】
前記画像情報には、前記視聴コンテンツに関連する文字画像が含まれており、
前記動画識別部は、前記視聴コンテンツに予め対応づけて記憶されている文字情報と、前記画像情報に含まれる前記文字画像とに基づいて、前記視聴コンテンツを識別する
ことを特徴とする請求項１又は２に記載の端末装置。
【請求項４】
前記視聴コンテンツが再生される際、前記所定領域は、前記ウィンドウ領域内の予め定められた特定位置に配置されており、
前記画像取得部は、前記特定位置を示す位置情報を取得するとともに、前記位置情報に基づいて、前記所定領域に表示される前記画像情報を取得する
ことを特徴とする請求項１乃至３のいずれか一項に記載の端末装置。
【請求項５】
画像を表示する表示部と、前記視聴コンテンツを再生する再生部とを備え、前記再生部は、前記視聴コンテンツを再生する際、前記表示部にウィンドウ領域を起動するとともに、前記ウィンドウ領域内に設けられる再生領域に前記視聴コンテンツを表示する端末装置における制御方法であって、
前記表示部において、前記ウィンドウ領域内の一部を少なくとも含む所定領域に表示される画像情報を、所定周期毎に取得する取得ステップと、
前記取得ステップによって取得された複数の画像情報のそれぞれを比較し、前記視聴コンテンツが再生されたか否かを判定する判定ステップと、
前記視聴コンテンツの内容に関連する付加情報、又は、前記画像情報に基づいて、前記視聴コンテンツを識別する識別ステップと
前記判定ステップによる判定結果と、前記識別ステップによる識別結果とに基づいて、前記視聴コンテンツが再生されたことを示す再生情報と、前記視聴コンテンツを識別する識別情報とを含む視聴履歴情報を生成する生成ステップと
を備えることを特徴とする制御方法。
【発明の詳細な説明】
【技術分野】
【０００１】
本発明は、視聴コンテンツを再生するとともに、視聴率の調査に用いられる視聴履歴情報を生成する端末装置及び制御方法に関する。
【背景技術】
【０００２】
従来、テレビ局などの放送事業者を含むコンテンツ提供事業者から、動画コンテンツなどの様々な視聴コンテンツが提供されている。また、近年では、インターネット等の通信技術の普及や、データ圧縮技術の発達によって、パーソナルコンピュータなどの端末装置に様々な視聴コンテンツをアップロード又はダウンロードすることができるようになった。
【０００３】
そのため、視聴コンテンツを再生する再生部も、プレインストールされているものや、Ｗｅｂブラウザと連動して動作するもの等、様々な種類のものが利用可能になっており、このような再生部を備えた端末装置を用いて、視聴コンテンツを再生するユーザが増加している（例えば、特許文献１参照）。
【０００４】
また、これらの視聴コンテンツの視聴について、広告宣伝効果の調査を目的とした視聴率の調査が行われている。上述した端末装置によって再生される視聴コンテンツの視聴率を調査する方法としては、端末装置の再生部から、視聴履歴情報を取得する方法が用いられている。なお、視聴履歴情報には、視聴コンテンツの再生が行われたことを示す再生情報と、視聴コンテンツの内容を識別する識別情報（例えば、タイトルなど）とが含まれている。
【０００５】
具体的に、従来技術に係る方法では、端末装置において、再生部が、上述した視聴履歴情報を生成する機能を備えているので、外部に設けられる視聴調査サーバに視聴履歴情報を送信することができる。また、視聴調査サーバが、端末装置から送信された視聴履歴情報を集計することによって、それぞれの視聴コンテンツの視聴率を算出することができる。
【先行技術文献】
【特許文献】
【０００６】
【特許文献１】特開２００８−１９９３７３号公報
【発明の概要】
【発明が解決しようとする課題】
【０００７】
しかしながら、全ての端末装置の再生部が、視聴履歴情報を生成する機能を有しているわけではない。更に、近年では、セキュリティ強化の観点から、視聴履歴情報を出力させない再生部を備える端末装置の利用も広まっている。
【０００８】
このように、端末装置が視聴履歴情報を生成できない場合、視聴コンテンツの視聴率を調査することができないという問題があった。従って、再生部の機能に依存せず、端末装置において視聴履歴情報を生成する技術が求められていた。
【０００９】
そこで、本発明は、上述の課題に鑑みてなされたものであり、再生部の機能に依存せずに、視聴率の調査に用いられる視聴履歴情報を生成することが可能な端末装置及び制御方法を提供することを目的とする。
【課題を解決するための手段】
【００１０】
上述した問題を解決するため、本発明は、次のような特徴を有している。本発明の第１の特徴は、画像を表示する表示部（表示部１３０）と、前記視聴コンテンツを前記表示部に再生する再生部（再生部１４１）とを備え、前記再生部は、前記視聴コンテンツを再生する際、前記表示部にウィンドウ領域（ウィンドウ領域Ｆ２００）を起動するとともに、前記ウィンドウ領域内に前記視聴コンテンツを再生する端末装置であって、前記表示部において、前記ウィンドウ領域内の一部を少なくとも含む所定領域に表示される画像情報を、所定周期毎に取得する画像取得部（画像取得部１４２）と、前記画像取得部によって取得された複数の画像情報のそれぞれを比較し、前記視聴コンテンツが再生されたか否かを判定する再生判定部（再生判定部１４３）と、前記視聴コンテンツの内容に関連する付加情報、又は、前記画像情報に基づいて、前記視聴コンテンツを識別する動画識別部（動画識別部１４４）と、前記再生判定部による判定結果と、前記動画識別部による識別結果とに基づいて、前記視聴コンテンツが再生されたことを示す再生情報と、前記視聴コンテンツを識別する識別情報（視聴コンテンツＩＤ）とを含む視聴履歴情報を生成する視聴履歴情報生成部（視聴履歴情報生成部１４５）とを備えることを要旨とするものである。
【００１１】
かかる端末装置によれば、画像取得部が、ウィンドウ領域の一部を少なくとも含む所定領域に表示される画像情報を所定周期によって取得する。また、再生判定部が、所定周期で取得された複数の画像情報を比較して、視聴コンテンツが再生されたか否かを判定する。動画識別部は、付加情報又は画像情報に基づいて、視聴コンテンツを識別する。また、視聴履歴情報生成部１４５は、再生情報と識別情報とを含む視聴履歴情報を生成する。
【００１２】
このように、かかる端末装置によれば、再生部が、従来技術のように、視聴コンテンツを単に再生するだけでも、所定領域における画像情報に基づいて、視聴コンテンツが再生されたか否かを判定するとともに、視聴コンテンツの識別を行うことができる。また、端末装置は、再生情報と識別情報とを含む視聴履歴情報を生成することができる。よって、本発明に係る端末装置によれば、再生部の機能に依存せずに、視聴率の調査に用いられる視聴履歴情報を生成することが可能になる。
【００１３】
本発明の第２の特徴は、上記特徴に係り、前記ウィンドウ領域内には、前記視聴コンテンツを再生する再生領域と、前記視聴コンテンツの再生状況を表示する状況表示領域とが含まれており、前記画像取得部は、前記再生領域と前記状況表示領域とを前記所定領域として、前記画像情報を取得することを要旨とする。
【００１４】
かかる端末装置によれば、動画像が表示される再生領域と再生状況を表示する状況表示領域とを所定領域として、画像情報を取得する。すなわち、かかる端末装置によれば、表示部に表示される全画像やウィンドウ領域の全画像を取得しなくとも、再生領域と状況表示領域との画像情報のみを取得して、画像情報のデータサイズの増加を抑えることができるので、端末装置が画像情報を取得する際の処理負荷を抑制できる。
【００１５】
本発明の第３の特徴は、上記特徴に係り、前記画像情報には、前記視聴コンテンツに関連する文字画像が含まれており、前記動画識別部は、前記視聴コンテンツに予め対応づけて記憶されている文字情報と、前記画像情報に含まれる前記文字画像とに基づいて、前記視聴コンテンツを識別することを要旨とするものである。
【００１６】
本発明の第４の特徴は、上記特徴に係り、前記視聴コンテンツが再生される際、前記所定領域は、前記ウィンドウ領域内の予め定められた特定位置に配置されており、前記画像取得部は、前記特定位置を示す位置情報を取得するとともに、前記位置情報に基づいて、前記所定領域に表示される前記画像情報を取得することを要旨とするものである。
【００１７】
本発明の第５の特徴は、画像を表示する表示部と、前記視聴コンテンツを前記表示部に再生する再生部とを備え、前記再生部は、前記視聴コンテンツを再生する際、前記表示部にウィンドウ領域を起動するとともに、前記ウィンドウ領域内に設けられる再生領域に前記視聴コンテンツを表示する端末装置における制御方法であって、前記表示部において、前記ウィンドウ領域内の一部を少なくとも含む所定領域に表示される画像情報を、所定周期毎に取得する取得ステップ（ステップＳ１０）と、前記取得ステップによって取得された複数の画像情報のそれぞれを比較し、前記視聴コンテンツが再生されたか否かを判定する判定ステップ（ステップＳ２０乃至Ｓ３０）と、前記視聴コンテンツの内容に関連する付加情報、又は、前記画像情報に基づいて、前記視聴コンテンツを識別する識別ステップ（ステップＳ４０）と、前記判定ステップによる判定結果と、前記識別ステップによる識別結果とに基づいて、前記視聴コンテンツが再生されたことを示す再生情報と、前記視聴コンテンツを識別する識別情報とを含む視聴履歴情報を生成する生成ステップ（ステップＳ５０）とを備えることを要旨とするものである。
【発明の効果】
【００１８】
本発明によれば、再生部の機能に依存せずに、視聴率の調査に用いられる視聴履歴情報を生成することが可能な端末装置及び制御方法を提供することができる。
【図面の簡単な説明】
【００１９】
【図１】図１は、本発明の実施形態に係る視聴調査システムの構成図である。
【図２】図２は、本発明の実施形態に係る端末装置の構成図である。
【図３】図３は、本発明の実施形態に係る端末装置に記憶部に記憶されるテーブルの一例を示す図である。
【図４】図４は、本発明の実施形態に係る表示部に表示される画像の一例を示す図である。
【図５】図５（ａ）は、本発明の実施形態に係る再生領域の画像の一例を示す図である。図５（ｂ）は、本発明の実施形態に係る再生領域の画像の一例を示す図である。
【図６】図６（ａ）は、本発明の実施形態に係るボタン表示領域の画像の一例を示す図である。図６（ｂ）は、本発明の実施形態に係るボタン表示領域の画像の一例を示す図である。図６（ｃ）は、本発明の実施形態に係るボタン表示領域の画像の一例を示す図である。
【図７】図７（ａ）は、本発明の実施形態に係る再生バー表示領域の画像の一例を示す図である。図７（ｂ）は、本発明の実施形態に係る再生バー表示領域の画像の一例を示す図である。
【図８】図８は、本発明の実施形態に係る端末装置の動作を示すフローチャートである。
【発明を実施するための形態】
【００２０】
以下において、本発明の実施形態に係る発明について、図面を参照しながら説明する。なお、以下の図面の記載において、同一又は類似の部分には、同一又は類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
本実施形態に係る端末装置は、視聴コンテンツを再生できる。また、端末装置は、視聴コンテンツの視聴率を調査する視聴率調査システムにおいて、どのような視聴コンテンツが再生されたかを調査するための調査端末装置として機能する。
【００２２】
また、本実施形態において、視聴コンテンツとしては、ドラマ、アニメーション、スポーツ、映画、音楽など、様々なジャンルのコンテンツが含まれる。つまり、視聴コンテンツには、動画コンテンツ、静止画コンテンツ、音楽コンテンツなどのデータのいずれか一つ、又は、複数が含まれている。
【００２３】
また、これらの視聴コンテンツの提供元としては、テレビ局、ケーブルテレビ（ＣＡＴＶ）局、衛星放送局などの放送事業者や、インターネット等のネットワークを介してコンテンツを配信するコンテンツプロバイダーなど、様々なコンテンツ提供事業者を想定している。なお、本実施形態では、コンテンツプロバイダーから、動画コンテンツを含む視聴コンテンツが端末装置に配信されるケースを例に挙げて説明する。
【００２４】
［実施形態］
本発明に係る視聴調査システム及び端末装置の実施形態について、図面を参照して説明する。具体的には、（１）視聴調査システムの概略構成、（２）端末装置の構成、（３）端末装置の動作（４）作用・効果について説明する。
【００２５】
（１）視聴調査システムの概略構成
図１を参照して本実施形態に係る視聴調査システムの概略構成を説明する。図１には、本実施形態に係る視聴調査システム１の全体構成が示されている。図１に示すように、本実施形態に係る視聴調査システム１は、コンテンツ提供サーバ５０と、端末装置１００と、視聴調査サーバ２００とを備える。また、視聴調査システム１において、これらの機器は、ネットワーク１０を介して接続されている。なお、ネットワーク１０は、インターネットなどの通信網を想定しているが、有線網と無線網のいずれであってもよい。
【００２６】
コンテンツ提供サーバ５０は、ネットワーク１０を介して、端末装置１００に視聴コンテンツを提供する。なお、視聴調査システム１において、コンテンツ提供サーバ５０は、複数設けられていてもよい。
【００２７】
本実施形態に係る端末装置１００は、パーソナルコンピュータを想定している。なお、端末装置１００は、携帯電話、ＰＤＡ、スマートフォンなどでもよい。視聴調査システム１において、端末装置１００は、複数備えていてもよい。
【００２８】
端末装置１００は、ネットワーク１０を介して、コンテンツ提供サーバ５０から視聴コンテンツを取得することができる。端末装置１００は、取得した視聴コンテンツを再生して、表示させることができる。なお、視聴コンテンツの再生方法としては、ダウンロード方式による再生であってもよいし、ストリーミング方式による再生であってもよい。
【００２９】
また、本実施形態に係る端末装置１００は、自装置において、視聴コンテンツが再生されたか否かを判定する。また、端末装置１００は、視聴コンテンツが再生されたと判定した場合には、視聴履歴情報を生成するともに、ネットワーク１０を介して、視聴履歴情報を視聴調査サーバ２００に送信する。
【００３０】
ここで、視聴履歴情報とは、端末装置１００において、特定の視聴コンテンツが再生されたことを示す再生情報と、視聴コンテンツの内容を識別する視聴コンテンツＩＤ（識別情報）とを含む情報である。なお、視聴調査システム１において、端末装置１００は、複数備えていてもよい。また、端末装置１００の詳細な構成については、後述する。
【００３１】
視聴調査サーバ２００は、ネットワーク１０を介して、端末装置１００から送信された視聴履歴情報を収集して、視聴コンテンツの視聴率を算出する。具体的に、複数の端末装置１００から送信される視聴履歴情報を収集して、所定数の端末装置１００の内、特定の視聴コンテンツがどれだけの端末装置１００に再生されたかを示す視聴率を算出する。
【００３２】
（２）端末装置の構成
次に、図２乃至３を参照して、本実施形態に係る端末装置１００の構成について説明する。図２に示すように、本実施形態に係る端末装置１００は、通信部１１０と、記憶部１２０と、表示部１３０と、処理部１４０とを備える。なお、端末装置１００は、これらの他に、半導体メモリ、ユーザインタフェース、音を出力するスピーカなども備えているがここでは説明を省略する。
【００３３】
通信部１１０は、ネットワーク１０を介して、コンテンツ提供サーバ５０と、視聴調査サーバ２００と通信する。通信部１１０は、コンテンツ提供サーバ５０から、視聴コンテンツを取得することができる。
【００３４】
記憶部１２０は、処理部１４０が実行するプログラムを記憶すると共に、処理部１４０でのプログラム実行中にワークエリアとして使用される。また、記憶部１２０は、図３に示されるように、視聴コンテンツＩＤとキーワード情報とを関連づけて記憶する動画識別データベースを保持する。なお、視聴コンテンツＩＤとは、視聴コンテンツを識別する識別情報である。また、キーワード情報とは、視聴コンテンツＩＤによって識別される視聴コンテンツに関係する文字情報である。
【００３５】
表示部１３０は、ディスプレイとして機能する。具体的に、表示部１３０は、処理部１４０の制御に従って、視聴コンテンツを動画像として表示する。
【００３６】
処理部１４０は、記憶部１２０に記憶されているプログラムに従った処理を行う。また、本実施形態に係る処理部１４０は、再生部１４１と、画像取得部１４２と、再生判定部１４３と、動画識別部１４４と、視聴履歴情報生成部１４５とを備える。
【００３７】
再生部１４１は、通信部１１０によって取得された視聴コンテンツを表示部１３０に動画像として再生する。再生部１４１は、視聴コンテンツを再生する際、表示部１３０にウィンドウ領域を起動するとともに、ウィンドウ領域内に視聴コンテンツを表示する。
【００３８】
ここで、ウィンドウ領域とは、特定のアプリケーション用に起動される作業領域である。また、本実施形態に係るウィンドウ領域は、表示部１３０において、再生部１４１によって視聴コンテンツが再生される際に起動される領域である。例えば、再生部１４１が、Ｗｅｂブラウザを用いて視聴コンテンツを再生する場合、ウィンドウ領域は、Ｗｅｂブラウザの起動に応じて、表示部１３０に起動される領域である。
【００３９】
また、本実施形態に係るウィンドウ領域内には、視聴コンテンツを動画像として表示する再生領域と、視聴コンテンツの再生状況を表示する状況表示領域とが含まれている。
【００４０】
具体的に、図４を参照して説明する。図４には、本実施形態に係る表示部１３０に表示される表示画像の一例が示されている。図４に示すように、表示部１３０に表示される表示領域Ｆ１００には、ウィンドウ領域Ｆ２００が含まれる。また、ウィンドウ領域Ｆ２００には、再生領域Ｆ２１０と、状況表示領域Ｆ２２０とが含まれている。
【００４１】
再生領域Ｆ２１０は、視聴コンテンツが動画像として再生される領域であり、ユーザの所定操作によって、視聴コンテンツの動画像や静止画像が表示される領域である。なお、再生領域Ｆ２１０には、視聴コンテンツに付加されているタイトルを画像として表示するタイトル表示領域が含まれていてもよい。このようなタイトル画像は、視聴コンテンツに関連する情報として表示されるため、視聴コンテンツを識別するために有効である。
【００４２】
状況表示領域Ｆ２２０には、ボタン表示領域Ｆ２２１と、再生バー表示領域Ｆ２２２と、時間表示領域Ｆ２２３とが含まれる。
【００４３】
ボタン表示領域Ｆ２２１は、ユーザの所定操作によって、視聴コンテンツの再生、一時停止などを受け付ける領域であり、ボタン表示領域Ｆ２２１には、再生、一時停止などの状況に応じたボタン画像が表示される。
【００４４】
ここで、一般的に、再生部１４１によって視聴コンテンツが再生される場合、ボタン表示領域Ｆ２２１には、ボタン表示画像が“再生可能状態”を示す画像、又は、“一時停止可能状態”を示す画像のいずれか一方が表示される。また、ボタン表示領域Ｆ２２１に“一時停止可能状態”を示す画像である場合、再生部１４１によって、視聴コンテンツが再生されていることを表している。
【００４５】
再生バー表示領域Ｆ２２２は、シークバーが表示される領域である。シークバーは、視聴コンテンツの始めから終わりまでの内、どの時間的位置の内容を再生しているのかをスライダーと呼ばれる目盛りの位置によって表示する。ユーザは、このシークバーによって、視聴コンテンツが再生されている時間的位置を視覚的に把握することができる。
【００４６】
時間表示領域Ｆ２２３は、視聴コンテンツの始めから終わりまでの内、どの時間的位置の内容を再生しているのかを、数値によって表示する領域である。例えば、視聴コンテンツが１２分間再生することが可能で、現在、開始から１分目を再生していた場合、時間表示領域Ｆ２２３には、“０１：００／１２：００”として表示される。
【００４７】
このように、視聴コンテンツが再生される際、ウィンドウ領域には、様々な表示領域が配置される。これらウィンドウ領域に表示される情報は、一般的な再生部１４１の機能によって表示される情報である。
【００４８】
なお、ユーザは、縦スクロールバーＣ１及び横スクロールバーＣ２を操作することによって、ウィンドウ領域Ｆ２００の表示領域を縦方向及び横方向に移動させることができる。また、本実施形態に係るウィンドウ領域Ｆ２００には、スクロールバーの所定操作に応じて表示可能な領域も含まれる。つまり、本実施形態に係るウィンドウ領域には、表示されている領域だけでなく、縦スクロールバーＣ１及び横スクロールバーＣ２によって表示可能なウィンドウ領域内の全ての領域が含まれることに留意すべきである。
【００４９】
画像取得部１４２は、表示部１３０において、ウィンドウ領域内の一部を少なくとも含む所定領域に表示される画像情報を、所定周期毎に取得する。具体的に、画像取得部１４２は、再生領域Ｆ２１０と状況表示領域Ｆ２２０とを所定領域として、画像情報を取得する。つまり、画像取得部１４２は、再生領域Ｆ２１０と状況表示領域Ｆ２２０とに表示される画像をキャプチャし、静止画像の画像情報を取得する。
【００５０】
ここで、視聴コンテンツが表示部１３０に再生される際、再生領域Ｆ２１０と状況表示領域Ｆ２２０は、ウィンドウ領域Ｆ２００内の予め定められた特定位置に配置されている。よって、画像取得部１４２は、かかる特定位置を示す位置情報を取得するとともに、この位置情報に基づいて、再生領域Ｆ２１０と状況表示領域Ｆ２２０との位置を特定した上で、再生領域Ｆ２１０と状況表示領域Ｆ２２０に表示される画像情報を取得する。
【００５１】
また、画像取得部１４２が、位置情報を取得する方法は２つある。以下に、その方法について説明する。なお、画像取得部１４２は、かかる２つの方法の内、いずれか一つの方法を用いて位置情報を取得してもよいし、全ての方法を用いてもよい。
【００５２】
一つ目の方法としては、予め記憶部１２０に記憶されている位置情報を取得する方法である。具体的に、再生部１４１によって視聴コンテンツが再生される際、再生領域Ｆ２１０と状況表示領域Ｆ２２０とは、特定の位置に固定して表示される。よって、この位置情報を予め記憶部１２０に記憶させておくとともに、画像取得部１４２が、必要に応じて記憶部１２０から読み出すことで、位置情報を取得する。
【００５３】
二つ目の方法としては、画像取得部１４２が、所定周期で画像情報を取得する際、初回においては、ウィンドウ領域Ｆ２００全体の画像情報を取得し、２回目からは、再生領域Ｆ２１０と状況表示領域Ｆ２２０との画像情報を取得する方法である。
【００５４】
具体的に、画像取得部１４２は、再生領域Ｆ２１０、ボタン表示領域Ｆ２２１、再生バー表示領域Ｆ２２２、時間表示領域Ｆ２２３などの状況表示領域Ｆ２２０におけるフレーム画像を予め記憶する。画像取得部１４２は、フレーム画像に基づいて、初回に取得したウィンドウ領域Ｆ２００全体の画像情報の内、再生領域Ｆ２１０と状況表示領域Ｆ２２０との位置をマッチング処理によって特定し、その特定結果を位置情報として取得する。また、画像取得部１４２は、２回目から、取得した位置情報に基づいて、再生領域Ｆ２１０と状況表示領域Ｆ２２０との画像情報を取得する。
【００５５】
なお、画像取得部１４２は、視聴コンテンツがＷｅｂブラウザを用いて再生される場合、ＨＴＭＬ形式のファイルのソース情報を参照して、再生領域Ｆ２１０と状況表示領域Ｆ２２０との位置情報を取得してもよい。
【００５６】
再生判定部１４３は、画像取得部１４２によって取得された複数の画像情報のそれぞれを比較し、視聴コンテンツが再生されたか否かを判定する。具体的に、再生判定部１４３は、画像取得部１４２によって取得された再生領域Ｆ２１０及び状況表示領域Ｆ２２０の画像情報を複数取得すると、複数の画像情報のそれぞれを比較して、画像情報に差分があるか否かを判定する。例えば、第１のタイミングで取得された再生領域Ｆ２１０及び状況表示領域Ｆ２２０の第１画像情報と、第１のタイミングよりも後の第２のタイミングで取得された再生領域Ｆ２１０及び状況表示領域Ｆ２２０の第２画像情報とにおいて、差分があるか否かを判定する。
【００５７】
ここで、再生判定部１４３による再生の判定方法には、複数の方法がある。図５乃至図７を参照して、再生判定部１４３による再生の判定方法について説明する。なお、再生判定部１４３は、かかる複数の方法の内、いずれか一つの方法を用いて判定してもよいし、複数の方法を用いてもよい。
【００５８】
まず、図５（ａ）乃至（ｂ）を参照して、一つ目の方法について説明する。図５（ａ）には、第１のタイミングで取得された再生領域Ｆ２１０の第１画像情報の例が示されており、図５（ｂ）には、第２のタイミングで取得された再生領域Ｆ２１０の第２画像情報の例が示されている。
【００５９】
再生判定部１４３は、図５（ａ）乃至（ｂ）に示すように、第１のタイミングで取得された再生領域Ｆ２１０の第１画像情報と、第２のタイミングで取得された再生領域Ｆ２１０の第２画像情報とを比較し、この二つの画像情報における同一位置の画素の画素値に差分があるか否かを判定する。再生判定部１４３は、画素値に差分があると判定した場合、視聴コンテンツが再生されたと判定する。
【００６０】
次に、図６（ａ）乃至（ｂ）を参照して、再生判定部１４３の二つ目の再生の判定方法について説明する。図６（ａ）には、第１のタイミングで取得されたボタン表示領域Ｆ２２１の画像情報の例として、“再生可能状態”を示す画像情報が示されている。また、図６（ｂ）には、第２のタイミングで取得されたボタン表示領域Ｆ２２１の画像情報の例として、“一時停止可能状態”を示す画像情報が示されている。
【００６１】
再生判定部１４３は、図６（ａ）乃至（ｂ）に示すように、第１のタイミングで取得されたボタン表示領域Ｆ２２１の第１画像情報（“再生可能状態”を示す画像情報）と、第２のタイミングで取得されたボタン表示領域Ｆ２２１の第２画像情報（“一時停止可能状態”を示す画像情報）とを比較し、この二つの画像情報における同一位置の画素の画素値に差分があるか否かを判定する。
【００６２】
なお、上述の例では、再生時に“一時停止可能状態”を示す画像情報が表示される場合を例に挙げたが、再生判定部１４３は、図６（ｃ）に示すように、“停止可能状態”を示す画像情報が表示される場合も、再生部１４１によって、視聴コンテンツが再生されていると判定してもよい。更に、再生判定部１４３は、上述した以外にも、“巻き戻し状態”、又は、“早送り状態”を示す画像情報が表示される場合も、再生部１４１によって、視聴コンテンツが再生されていると判定してもよい。
【００６３】
次に、図７（ａ）乃至（ｂ）を参照して、再生判定部１４３の三つ目の再生の判定方法について説明する。図７（ａ）には、第１のタイミングで取得された再生バー表示領域Ｆ２２２に表示される画像情報の例が示されており、図７（ｂ）には、第２のタイミングで取得された再生バー表示領域Ｆ２２２に表示される画像情報の例が示されている。
【００６４】
再生判定部１４３は、図７（ａ）乃至（ｂ）に示すように、第１のタイミングで取得された再生バー表示領域Ｆ２２２の第１画像情報と、第２のタイミングで取得された再生バー表示領域Ｆ２２２の第２画像情報とを比較し、この二つの画像情報における同一位置の画素の画素値に差分があるか否かを判定する。再生判定部１４３は、第１画像情報と第２画像情報との画素値に差分があると判定した場合、視聴コンテンツが再生されたと判定する。
【００６５】
次に、再生判定部１４３の四つ目の再生の判定方法について説明する。再生判定部１４３は、第１のタイミングで取得された時間表示領域Ｆ２２３の第１画像情報と、第２のタイミングで取得された時間表示領域Ｆ２２３の第２画像情報とを比較し、この二つの画像情報における同一位置の画素の画素値に差分があるか否かを判定する。再生判定部１４３は、第１画像情報と第２画像情報との画素値に差分があると判定した場合、視聴コンテンツが再生されたと判定する。
【００６６】
以上のようにして、再生判定部１４３は、視聴コンテンツが再生されたと判定する。また、再生判定部１４３は、視聴コンテンツが再生されたと判定した場合、その旨を示す再生情報を視聴履歴情報生成部１４５に通知する。
【００６７】
動画識別部１４４は、視聴コンテンツの内容に関連する付加情報、又は、画像情報に基づいて、視聴コンテンツを識別する。ここで、動画識別部１４４が視聴コンテンツを識別する方法には、複数の方法がある。以下に、その方法について説明する。なお、動画識別部１４４は、かかる複数の方法の内、いずれか一つの方法を用いて視聴コンテンツを識別してもよいし、複数の方法を用いてもよい。
【００６８】
まず、一つ目の方法として、動画識別部１４４が付加情報に基づいて視聴コンテンツを識別する方法について説明する。
【００６９】
ここで、本実施形態に係る付加情報は、視聴コンテンツに予め付加されているメタ情報である。メタ情報は、視聴コンテンツに関する情報（コンテンツのプロファイル）であり、コンテンツ提供サーバ５０から送られるメタファイルと呼ばれるファイルや、視聴コンテンツのヘッダー部分に記述されている情報である。メタ情報には、視聴コンテンツのタイトル、提供者、作成日付などの視聴コンテンツの内容に関連する情報が含まれている。
【００７０】
動画識別部１４４は、視聴コンテンツに付加されているメタ情報を参照して、タイトル、提供者、作成日付等をキーワード情報として取得する。動画識別部１４４は、記憶部１２０の動画識別データベースを参照して、メタ情報から取得したキーワード情報に対応づけて記憶されている視聴コンテンツＩＤがあるか否かを判定する。また、動画識別部１４４は、かかる視聴コンテンツＩＤがあると判定した場合、この視聴コンテンツＩＤを視聴履歴情報生成部１４５に通知する。
【００７１】
なお、動画識別部１４４は、視聴コンテンツがＷｅｂブラウザを用いて再生される場合、ＨＴＭＬ形式のファイルのソース情報を参照して、視聴コンテンツの内容に関連するキーワード情報を取得してもよい。
【００７２】
次に、二つ目の方法として、動画識別部１４４が、画像情報に基づいて視聴コンテンツを識別する方法について説明する。具体的に、動画識別部１４４は、画像情報に含まれる文字画像と、視聴コンテンツに予め対応づけて記憶されている文字情報とに基づいて、視聴コンテンツを識別する。
【００７３】
ここで、再生領域Ｆ２１０の画像情報には、視聴コンテンツに関連する文字画像が含まれている。例えば、かかる文字画像としては、視聴コンテンツの再生時に動画像の一部に表示される文字画像であり、具体的には、タイトルとして表示される文字画像がある。また、他の例としては、出演者、監督、コンテンツ提供事業者、広告、広告事業者などの文字画像が挙げられる。
【００７４】
動画識別部１４４は、光学式文字読取装置としての機能を有しており、これらの文字画像から、文字情報を特定するとともに、特定した文字情報をキーワード情報として取得する。動画識別部１４４は、記憶部１２０の動画識別データベースを参照して、取得したキーワード情報に対応づけて記憶されている視聴コンテンツＩＤがあるか否かを判定する。また、動画識別部１４４は、かかる視聴コンテンツＩＤがあると判定した場合、当該視聴コンテンツＩＤを視聴履歴情報生成部１４５に通知する。
【００７５】
視聴履歴情報生成部１４５は、再生判定部１４３による判定結果と、動画識別部１４４による識別結果とに基づいて、視聴コンテンツが再生されたことを示す再生情報と、視聴コンテンツを識別する視聴コンテンツＩＤとを含む視聴履歴情報を生成する。
【００７６】
具体的に、視聴履歴情報生成部１４５は、再生判定部１４３から視聴コンテンツが再生されたことを示す再生情報を受信するとともに、動画識別部１４４から視聴コンテンツを識別する視聴コンテンツＩＤを受信すると、再生情報と視聴コンテンツＩＤとを含む視聴履歴情報を生成する。また、視聴履歴情報生成部１４５は、生成した視聴履歴情報を、通信部１１０を介して、視聴調査サーバ２００に送信する。
【００７７】
（３）端末装置の動作
以下に、本実施形態に係る端末装置１００の動作について、図８を参照して説明する。図８は、本実施形態に係る端末装置１００の動作を示すフローチャートである。
【００７８】
図８に示すように、ステップＳ１０において、端末装置１００では、再生部１４１が、表示部１３０に視聴コンテンツを動画像として表示すると、画像取得部１４２が、所定周期によって、再生領域Ｆ２１０と状況表示領域Ｆ２２０とに表示される画像情報を取得する。なお、所定周期は、１秒周期であってもよいし、１分周期であってもよい。また、画像取得部１４２は、再生領域Ｆ２１０と状況表示領域Ｆ２２０との位置を示す位置情報を取得してから、画像情報を取得してもよい。また、画像取得部１４２は、再生領域Ｆ２１０と状況表示領域Ｆ２２０とのいずれか一方に表示される画像情報を取得してもよい。
【００７９】
ステップＳ２０において、再生判定部１４３は、画像取得部１４２によって所定周期で取得された複数の画像情報のそれぞれを比較する。具体的に、再生判定部１４３は、再生領域Ｆ２１０及び状況表示領域Ｆ２２０に表示された複数の画像情報を比較して、画像情報に差分があるか否かを判定する。例えば、第１のタイミングで取得された第１画像情報と、第１のタイミングよりも後の第２のタイミングで取得された第２画像情報とに差分があるか否かを比較する。
【００８０】
ステップＳ３０において、再生判定部１４３は、視聴コンテンツが再生されたか否かを判定する。具体的に、再生判定部１４３は、ステップＳ２０において、差分があると判定した場合、視聴コンテンツが再生されたと判定する。また、再生判定部１４３は、視聴コンテンツが再生されたと判定した場合、その旨を示す再生情報を視聴履歴情報生成部１４５に送信する。なお、再生判定部１４３は、視聴コンテンツが再生されていないと判定した場合（Ｎｏの場合）、ステップＳ２０の動作が実行される。
【００８１】
ステップＳ４０において、端末装置１００では、再生判定部１４３によって視聴コンテンツが再生されたと判定した場合（Ｙｅｓの場合）、動画識別部１４４は、視聴コンテンツに予め付加されている付加情報に基づいて、再生部１４１によって再生された視聴コンテンツを識別する。具体的に、動画識別部１４４は、視聴コンテンツに付加されているメタ情報を参照して、メタ情報に含まれるキーワード情報を取得する。動画識別部１４４は、記憶部１２０の動画識別データベースを参照して、メタ情報から取得したキーワード情報に対応づけられている視聴コンテンツＩＤがあるか否かを判定する。また、動画識別部１４４は、かかる視聴コンテンツＩＤがあると判定した場合、かかる視聴コンテンツＩＤを視聴履歴情報生成部１４５に送信する。
【００８２】
また、動画識別部１４４は、画像情報に基づいて、視聴コンテンツを識別してもよい。具体的に、動画識別部１４４は、光学式文字読取機能を用いて、画像情報に含まれる文字画像から、文字情報を特定するとともに、特定した文字情報をキーワード情報として取得する。動画識別部１４４は、記憶部１２０の動画識別データベースを参照して、取得したキーワード情報に対応づけられている視聴コンテンツＩＤがあるか否かを判定する。また、動画識別部１４４は、かかる視聴コンテンツＩＤがあると判定した場合、視聴コンテンツＩＤを含む識別情報を視聴履歴情報生成部１４５に送信する。
【００８３】
ステップＳ５０において、視聴履歴情報生成部１４５は、再生判定部１４３から、視聴コンテンツが再生された旨を示す再生情報を受信するとともに、動画識別部１４４から、視聴コンテンツＩＤを受信する。視聴履歴情報生成部１４５は、再生情報と視聴コンテンツＩＤとを含む視聴履歴情報を生成する。また、視聴履歴情報生成部１４５は、生成した視聴履歴情報を、通信部１１０を介して、視聴調査サーバ２００に送信する。
【００８４】
このようにして、端末装置１００は、視聴履歴情報を生成する動作を実行する。なお、ステップＳ３０の動作と、ステップＳ４０の動作とは、いずれを先に実行してもよい。
【００８５】
（４）作用・効果
本実施形態に係る端末装置１００では、画像取得部１４２が、ウィンドウ領域の一部を少なくとも含む所定領域に表示される画像情報を所定周期によって取得する。また、再生判定部１４３が、所定周期で取得された複数の画像情報を比較して、再生されたか否かを判定する。一方、動画識別部１４４は、メタ情報や画像情報に基づいて、視聴コンテンツを識別する。
【００８６】
よって、かかる端末装置１００によれば、再生部１４１が、従来技術のように、視聴コンテンツを単に再生するだけでも、所定領域に表示される画像情報に基づいて、視聴コンテンツが再生されたか否かを判定することができる。また、かかる端末装置１００によれば、視聴コンテンツが再生された旨を示す再生情報と、視聴コンテンツの内容を識別する視聴コンテンツＩＤとを含む視聴履歴情報を生成することができる。
【００８７】
このように、本実施形態に係る端末装置１００によれば、再生部１４１の機能に依存せず、視聴率の調査に用いられる視聴履歴情報を生成して、かかる視聴履歴情報を視聴調査サーバ２００に送信することができる。
【００８８】
また、本実施形態に係る端末装置１００によれば、動画像が表示される再生領域Ｆ２１０と再生状況を表示する状況表示領域Ｆ２２０とを所定領域として、画像情報を取得する。すなわち、表示部１３０に表示される全画像や、ウィンドウ領域Ｆ２００の全画像の画像情報を取得せずに、再生領域Ｆ２１０と状況表示領域Ｆ２２０における画像情報のみを取得して、画像情報のデータサイズの増加を抑えることができる。よって、端末装置１００が画像情報を取得する際の処理負荷を抑制できる。
【００８９】
また、本実施形態に係る端末装置１００によれば、動画識別部１４４が、視聴コンテンツに対応づけて記憶されている文字情報と、画像情報に含まれる文字画像とに基づいて、視聴コンテンツを識別する。よって、端末装置１００では、画像情報だけが取得された場合であっても、視聴コンテンツを識別することができる。
【００９０】
また、本実施形態に係る端末装置１００によれば、画像取得部１４２が、再生領域Ｆ２１０及び状況表示領域Ｆ２２０における画像情報を取得する際、再生領域Ｆ２１０と状況表示領域Ｆ２２０との位置を特定した上で、画像情報を取得するので、効率よく、かつ正確に画像情報を取得することができる。
【００９１】
（５）変更例
次に、本実施形態に係る端末装置１００の変更例について説明する。ここで、上述した実施形態では、再生判定部１４３は、視聴コンテンツが再生されたと判定した場合、その旨を示す再生情報を視聴履歴情報生成部１４５に通知するように構成されていたが、視聴に関する様々な情報を再生情報に含めて、視聴履歴情報生成部１４５に通知してもよい。
【００９２】
例えば、再生判定部１４３は、視聴期間がどれだけの期間であったかを示す情報を、再生情報に含めて視聴履歴情報生成部１４５に通知してもよい。具体的に、再生判定部１４３は、視聴コンテンツが再生されたと判定した際、その時刻を開始時刻として記憶する。また、再生判定部１４３は、視聴コンテンツが再生されたと判定した後も、画像情報を所定周期（例えば、数秒周期）で取得するとともに、取得した複数の画像情報に基づいて、視聴コンテンツの再生が停止されたか否かを判定する。
【００９３】
例えば、再生判定部１４３は、ボタン表示領域Ｆ２２１において、ボタン表示画像が“再生可能状態”を示す画像である場合に、視聴コンテンツの再生が停止されたと判定する。なお、再生判定部１４３は、再生バー表示領域Ｆ２２２において、シークバーのスライダーの位置がリセットさた場合に、視聴コンテンツの再生が停止されたと判定してもよいし、時間表示領域Ｆ２２３において、再生時間が“００：００”にリセットされた場合に、視聴コンテンツの再生が停止されたと判定してもよい。
【００９４】
また、再生判定部１４３は、再生が停止されたと判定した場合は、その時刻を終了時刻として記憶するとともに、開始時刻と終了時刻との差を視聴期間として検出する。再生判定部１４３は、検出した視聴期間を含む再生情報を視聴履歴情報生成部１４５に通知する。
【００９５】
なお、再生判定部１４３は、再生中にユーザによってどのような操作が行われたかを示す情報を、再生情報に含めて視聴履歴情報生成部１４５に通知してもよい。例えば、再生判定部１４３は、視聴コンテンツの再生が停止されるまでの間、再生バー表示領域Ｆ２２２におけるシークバーのスライダーの位置の変化や、時間表示領域Ｆ２２３おける再生時間の変化から、ユーザによって視聴コンテンツの巻き戻しや早送りなどの操作がなされたことを検出して、これらの情報も再生情報に含めて、視聴履歴情報生成部１４５に通知してもよい。
【００９６】
視聴履歴情報生成部１４５は、この再生情報を再生判定部１４３から受信すると、当該再生情報を含む視聴履歴情報を生成して、視聴調査サーバ２００に送信する。
【００９７】
このように、本変更例に係る端末装置１００によれば、単に視聴コンテンツが再生されたか否かだけでなく、ユーザによって視聴コンテンツの再生がどのように行われたかについてもより詳細に把握することができる。
【００９８】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００９９】
例えば、上述した実施形態では、動画識別部１４４は、視聴コンテンツの内容に関連するメタ情報、又は、画像情報に含まれる文字情報に基づいて、キーワード情報を取得するとともに、取得したキーワード情報から視聴コンテンツを識別する視聴コンテンツＩＤを取得するように構成されていたが、取得したキーワード情報そのものを、視聴コンテンツを識別する識別情報として取得してもよい。
【０１００】
例えば、端末装置１００は、専用のハードウェアとして用意されていてもよい。また、ＣＰＵ等の処理部によって実行されるソフトウェアモジュールとして実現されてもよい。従って、図８に示した処理は、かかるソフトウェアモジュールを実行するプログラムによって、端末装置１００を動作させることで実現できる。
【０１０１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１０２】
１０…ネットワーク、５０…コンテンツ提供サーバ、１００…端末装置、１１０…通信部、１２０…記憶部、１３０…表示部、１４０…処理部、１４１…再生部、１４２…画像取得部、１４３…再生判定部、１４４…動画識別部、１４５…視聴履歴情報生成部、２００…視聴調査サーバ
【図１】
2012235420.tif 000003
【図２】
2012235420.tif 000004
【図３】
2012235420.tif 000005
【図４】
2012235420.tif 000006
【図５】
2012235420.tif 000007
【図６】
2012235420.tif 000008
【図７】
2012235420.tif 000009
【図８】
2012235420.tif 000010